(57)【特許請求の範囲】
【請求項１】
版状部材の端部を保持する断面がコ字形状を呈するコ字形保持部を含む揚重手段で吊るためのフレーム部材と、
前記コ字形保持部の下側水平部との間で前記版状部材の端部を押圧し、当該コ字形保持部の上側水平部に螺着されるボルト押圧部材とからなり、
前記ボルト押圧部材は、前記上側水平部に設けためねじ部に螺合するボルト部と、このボルト部の一端側に当該ボルト部の断面より広い面積を有する平板部とを有し、
前記フレーム部材は、前記コ字形保持部のうち上側水平部を含む上側アングル部材と、前記コ字形保持部のうち下側水平部を含む下側アングル部材と、前記上側アングル部材と前記下側アングル部材を互いの垂直面を重ねた位置に着脱自在に設けたボルト及びナットと、前記垂直面に形成した吊穴とを備え、
前記垂直面に設けた前記ボルト及び前記ナットを外すことで、前記上側アングル部材と前記下側アングル部材とが分離可能としたことを特徴とする、吊り治具。
【請求項２】
前記上側アングル部材の上側水平部から下側となる前記下側アングル部材において、下側水平部及びその下側水平部から立ち上がる立ち上がり部に亘って弾性部材を貼着されていることを特徴とする請求項１に記載の吊治具。
【発明の詳細な説明】
【０００１】
【発明の属する技術分野】
本発明は、建築物の工事現場等において、屋根版や床版等の版状部材を揚重機械を用いて吊り上げる場合において用いられる吊り治具に関する。
【０００２】
【従来の技術】
従来の吊り治具としては、例えば図５（ａ）に示すような紐状部材としてのナイロンスリング１０１がある。
かかるナイロンスリング１０１によれば、例えば同図に示すように、版状部材たるアルミハニカムパネルＰの２箇所に対して掛け渡した状態とすることにより、該アルミハニカムパネルＰを同図に部分的に図示した揚重手段１５１で吊り上げることが可能となる。
【０００３】
一方、他の吊り治具としては、例えば図５（ｂ）に示すように、アルミハニカムパネルＰを揚重手段１５１で吊るためのボルト吊部材たるアイボルト１１１と、該アルミハニカムパネルＰに対して固着され、該アイボルト１１１が螺着されるはずのナット部材たる埋込ナット（図示外）とから構成されるものがある。
かかる吊り治具によれば、例えば同図に示すように、アルミハニカムパネルＰの外側部において予め一体に固着された埋込ナットに対して揚重手段１５１（図示外）で吊るためのアイボルト１１１を螺着することにより、該アルミハニカムパネルＰをワイヤーロープ１５２を介して揚重手段１５１で吊り上げることが可能となる。
【０００４】
【発明が解決しようとする課題】
しかしながら、前者の吊り治具では、アルミハニカムパネルＰに対してナイロンスリング１０１を固着しているわけではないので、アルミハニカムパネルＰを意図的に傾けて建築物への取り付け作業ができる等柔軟な玉掛作業が可能となる反面、吊り上げられたアルミハニカムパネルＰが滑り落ちる危険性が大きいという問題がある。
【０００５】
また、前者の吊り治具では、直接アルミハニカムパネルＰに紐状部材が掛け渡された状態で吊り上げられることとなるので、ナイロンスリング１０１がアルミハニカムパネルＰを傷付ける結果となる場合も少なくなく、的確な玉掛作業を行うことが難しい。
【０００６】
一方、後者の吊り治具では、揚重作業完了後アイボルト１１１を取り外した場合には、埋込ナットがアルミハニカムパネルＰに残存することとなるが、このような残存した埋込ナットは以後不要となるので、防水や意匠等の観点から面倒な該埋込ナットの穴埋め等の後処理作業が必要となる。
【０００７】
また、後者の吊り治具では、埋込ナットがアルミハニカムパネルＰに固着されているので、アルミハニカムパネルＰを意図的に傾けて建築物への取り付け作業ができる等の柔軟な玉掛作業を実現させることが難しい。
【０００８】
そこで、本発明の課題は、煩雑な後処理作業を回避しながら、的確かつ柔軟な玉掛作業ひいては安全性の高い揚重作業を実現させることが可能な吊り治具を提供することにある。
【０００９】
【課題を解決するための手段】
すなわち、本発明に係る吊り治具は、版状部材の端部を保持する断面がコ字形状を呈するコ字形保持部を含む揚重手段で吊るためのフレーム部材と、前記コ字形保持部の下側水平部との間で前記版状部材の端部を押圧し、当該コ字形保持部の上側水平部に螺着されるボルト押圧部材とからなり、前記ボルト押圧部材は、前記上側水平部に設けためねじ部に螺合するボルト部と、このボルト部の一端側に当該ボルト部の断面より広い面積を有する平板部とを有し、前記フレーム部材は、前記コ字形保持部のうち上側水平部を含む上側アングル部材と、前記コ字形保持部のうち下側水平部を含む下側アングル部材と、前記上側アングル部材と前記下側アングル部材を互いの垂直面を重ねた位置に着脱自在に設けたボルト及びナットと、前記垂直面に形成した吊穴とを備え、前記上側水平部を含む部分と前記下側水平部を含む部分とに前記ボルト及びナットを外すことで分離可能とした。
【００１０】
本発明に係る吊り治具によれば、版状部材の端部をコ字形保持部で保持しながらボルト押圧部材で押圧することとしたので、穴埋め等の煩雑な後処理作業を回避しながら、的確かつ柔軟な玉掛作業ひいては安全性の高い揚重作業を実現させることが可能となる。ここで、前記フレーム部材としては、揚重手段で吊ることができ、版状部材の端部を保持する断面がコ字形状を呈するコ字形保持部を有するものであれば、どのような構造のものを用いるか、どのような材質のものを用いるかなどの別を問わない。ただし、版状部材を建物の入隅に設置する場合において設置後に吊り治具を容易に取り外すという観点からすれば、前記フレーム部材は、前記上側水平部を含む部分と前記下側水平部を含む部分とに分離可能とすることが好ましい。
【００１１】
また、吊り治具は、前記上側アングル部材の上側水平部から下側となる前記下側アングル部材において、下側水平部及びその下側水平部から立ち上がる立ち上がり部に亘って弾性部材を貼着されている構成とした。
【００１２】
これにより、アルミハニカムパネルＰの端部が損傷するような事態を未然に防止することとしている。
【００１３】
【発明の実施の形態】
以下、添付図面に基づいて本発明の実施の形態を詳細に説明する。
【００１４】
図１は本発明の参照例に係る吊り治具の概略構成を示す斜視図、図２は該吊り治具の詳細構成を示す斜視図である。
【００１５】
吊り治具は、図１に示すように、版状部材たるアルミハニカムパネルＰを吊り上げる目的で用いられるものであり、ボルト吊部材たるアイボルト１と、ナット部材たるナット２と、ナット保持部材たるナットレール３とから構成されている。以下、これらの各構成要素について詳細に説明する。
【００１６】
（１）アイボルト１
アイボルト１は、同図に部分的に示した揚重手段たるラフタークレーン５１で吊る目的で用いられるものである。
具体的には、アイボルト１は、同図に示すように、ラフタークレーン５１からのワイヤーロープ５２により吊り下げられて用いられる。
【００１７】
すなわち、アイボルト１は、図１及び図２に示すように、自由端部が眼鏡形状を呈しているが、一方では、おねじ部分がナットレール３で保持されるナット２に螺着され、これによりアルミハニカムパネルＰに取り付けられ、他方では、そのような眼鏡形状の自由端部がワイヤーロープ５２で玉掛けされ、これによりラフタークレーン５１により吊り下げられている。
【００１８】
（２）ナット２
ナット２は、アルミハニカムパネルＰの外側部において着脱自在に設けられるものである。
【００１９】
すなわち、図２に示すように、アルミハニカムパネルＰの外側部において設けられるナットレール３は、ナット２をスライド自在に保持するものであるが、このナットレール３には、適宜箇所にナット２に対応した大きさ及び形状を呈するナットホール３ａが設けられており、これにより、ナット２の着脱動作がアルミハニカムパネルＰの外側部で自由に確保されている。
【００２０】
また、ナット２には、アイボルト１のおねじ部分に対応しためねじが刻まれており、これにより、ナット２へのアイボルト１の螺着が可能となる。
【００２１】
（３）ナットレール３
ナットレール３は、ナット２をアルミハニカムパネルＰの外側部に沿ってスライド自在に保持する役割を果たすものである。
【００２２】
換言すれば、ナットホール３ａを通じて装着されたナット２のスライド動作は、アルミハニカムパネルＰの外側部に沿って自由に確保されている。
【００２３】
すなわち、このような吊り治具を用いて行う玉掛け作業は、一方では、予めワイヤーロープ５２をアイボルト１の眼鏡形状の自由端部に玉掛けし、他方では、予めナットホール３ａを通じてナットレール３にナット２を装着し、該アイボルト１を該ナット２に螺着した上で、ラフタークレーン５１によりアルミハニカムパネルＰをワイヤーロープ５２及び吊り治具を介して吊り上げるというものである。
この場合において、ナットレール３におけるナット２の装着位置を適宜調整すれば、アルミハニカムパネルＰを意図的に傾けて建築物への取り付け作業ができる等、柔軟な玉掛作業が可能となる。
また、アルミハニカムパネルＰの一方の側のみにアイボルト１を設けて、これをラフタークレーン５１で吊り上げれば、アルミハニカムパネルＰを鉛直に吊り下げることができるので、他方の側を着地させれば、容易にアルミハニカムパネルＰを反転させることが可能となる。
【００２４】
したがって、本実施の形態に係る吊り治具によれば、アルミハニカムパネルＰの外側部でスライド自在のナット２を設けてこれにアイボルト１を螺着するようにしたため、的確かつ柔軟な玉掛作業ひいては安全性の高い揚重作業を実現させることが可能となる。
しかも、ナット２を着脱自在に設けることとしたので、穴埋め等の煩雑な後処理作業を回避することも可能となる。
なお、本実施の形態では、既存の部品であるアイボルト１やナット２等を用意さえすれば、直ちに揚重作業が可能となり、それゆえ、高価な特殊の部品を別途用意することが不要となる。また、アルミハニカムパネルＰを運搬する場合には、ナット２は、積み荷たるアルミハニカムパネルＰを荷台に固定するために用いることも可能となる。
【００２５】
図３は本発明の実施の形態に係る吊り治具の概略構成を示す斜視図、図４該吊り治具の詳細構成を示す図（図４（ａ）は斜視図、図４（ｂ）側面図）である。
【００２６】
本実施の形態において、吊り治具は、図３に示すように、版状部材たるアルミハニカムパネルＰを吊り上げる目的で用いられるものであり、フレーム部材たる分離可能フレーム１１と、ボルト押圧部材たるアジャスターボルト１２とから構成されている。以下、これらの各構成要素について詳細に説明する。
【００２７】
（１）分離可能フレーム１１
分離可能フレーム１１は、同図に部分的に示した揚重手段たるラフタークレーン５１で吊る目的で用いられるものである。
具体的には、分離可能フレーム１１は、同図に示すように、予め吊穴１１ａに玉掛けされたラフタークレーン５１からのワイヤーロープ５２により吊り下げられて用いられる。
【００２８】
そして、分離可能フレーム１１は、図４に示すように、アルミハニカムパネルＰの端部を保持する断面がコ字形状を呈するコ字形保持部１１ｂを含む構成となっている（図４（ｂ）参照）。
【００２９】
分離可能フレーム１１は、同図に示すように、コ字形保持部１１ｂのうち上側水平部を含む上側アングル部材２１と、コ字形保持部１１ｂのうち下側水平部を含む下側アングル部材２２とからなっている。
そして、上側アングル部材２１と下側アングル部材２２とに分離する分離動作は、ボルト及びナット２３によって自由に確保されている。
【００３０】
なお、本実施の形態においては、同図に示すように、下側アングル部材２２には、下側水平部及び立ち上がり部に亘る弾性部材たるゴム板２２ａが貼着されているが、これにより、アルミハニカムパネルＰの端部が損傷するような事態を未然に防止することとしている。
【００３１】
（２）アジャスターボルト１２
アジャスターボルト１２は、コ字形保持部１１ｂの下側水平部との間でアルミハニカムパネルＰの端部を押圧するものであり、これにより、本吊り治具がアルミハニカムパネルＰの端部を把持することが可能となる。
【００３２】
アジャスターボルト１２は、上側アングル部材２１に設けられためねじ部３１と、めねじ部３１に螺着するボルト部３２と、ボルト部３２の断面より広い面積を有する平板部３３とからなっている。
【００３３】
そして、アジャスターボルト１２は、コ字形保持部１１ｂの上側水平部に螺着されているが、かかるアジャスターボルト１２を回転させることにより、この下端部を上下に移動させることができる。
それゆえ、このようなアジャスターボルト１２によれば、いろいろな厚さ寸法の版状部材に対応することが可能となる（図示矢印参照）。
【００３４】
すなわち、このような吊り治具を用いて行う玉掛け作業は、予めワイヤーロープ５２を吊穴１１ａに玉掛けし、予めボルト及びナット２３で一体化した分離可能フレーム１１のコ字形保持部１１ｂでアルミハニカムパネルＰの端部を保持し、アジャスターボルト１２の押圧によりこれを把持した上で、ラフタークレーン５１により該アルミハニカムパネルＰをワイヤーロープ５２及び吊り治具を介して吊り上げるというものである。
この場合において、本吊り治具によるアルミハニカムパネルＰの端部の把持位置を適宜調整すれば、アルミハニカムパネルＰを意図的に傾けて建築物への取り付け作業ができる等、柔軟な玉掛作業が可能となる。
なお、アルミハニカムパネルＰを建物の入隅に配設する必要があるような場合には、本吊り治具を取り外す動作を行うための領域を確保できないが、分離可能フレーム１１を分離すれば、下側アングル部材２２を下方へと取り外すことが可能となり、この点で実施の形態１と比較して有利となる。
【００３５】
また、本実施の形態においては、アジャスターボルト１２には、アルミハニカムパネルＰに当接するはずの下端部に弾性部材たるゴム板３３ａが貼着されているが、これは、下側アングル部材２２に貼着されたゴム板２２ａと同様の役割を果たすものである。
【００３６】
したがって、本実施の形態に係る吊り治具によれば、アルミハニカムパネルＰの端部をコ字形保持部１１ｂで保持しながらアジャスターボルト１２で押圧することとしたので、煩雑な後処理作業を回避しながら、的確かつ柔軟な玉掛作業ひいては安全性の高い揚重作業を実現させることが可能となる。
【００３７】
【発明の効果】
本発明に係る吊り治具によれば、以上のように構成したため、煩雑な後処理作業を回避しながら、的確かつ柔軟な玉掛作業ひいては安全性の高い揚重作業を実現させることが可能になる。
また、アルミハニカムパネルを建物の入隅に配設する必要があるような場合には、本吊り治具を取り外す動作を行うための領域を確保できないが、分離可能フレームを分離すれば、下側アングル部材を下方へと取り外すことが可能となり、この点で参照例と比較して有利となる。
【図面の簡単な説明】
【図１】本発明の参照例に係る吊り治具の概略構成を示す斜視図である。
【図２】本発明の参照例に係る吊り治具の詳細構成を示す斜視図である。
【図３】本発明の実施の形態に係る吊り治具の概略構成を示す斜視図である。
【図４】本発明の実施の形態に係る吊り治具の詳細構成を示す図（図４（ａ）は斜視図、図４（ｂ）側面図）である。
【図５】従来例である吊り治具の概略構成を示す図（図５（ａ）は一の吊り治具の斜視図、図５（ｂ）他の吊り治具の斜視図）である。
【符号の説明】
１…アイボルト（ボルト吊部材）
２…ナット（ナット部材）
３…ナットレール（ナット保持部材）
３ａ…ナットホール
１１…分離可能フレーム（フレーム部材）
１１ａ…吊穴
１１ｂ…コ字形保持部
１２…アジャスターボルト（ボルト押圧部材）
２１…上側アングル部材
２２…下側アングル部材
２２ａ…ゴム板
２３…ボルト及びナット
３１…めねじ部
３２…ボルト部
３３…平板部
３３ａ…ゴム板
５１…ラフタークレーン（揚重手段）
５２…ワイヤーロープ
１０１…ナイロンスリング
１１１…アイボルト
１５１…揚重手段
１５２…ワイヤーロープ
Ｐ…アルミハニカムパネル（版状部材）
【図１】
0004511747.tif 000002
【図２】
0004511747.tif 000003
【図３】
0004511747.tif 000004
【図４】
0004511747.tif 000005
【図５】
0004511747.tif 000006